(57)【要約】【課題】  商品に商品管理用タグを簡単に添付したり、取り外しすることができると共に、店頭で顧客が本やノートなどの冊子状の商品を手にとって立ち読みしたり、品定めなどした場合でも、商品に添付された商品管理用タグが不必要に落ちてなくなることを防止した商品管理用タグを提供する。【解決手段】  ＩＣチップ及び前記ＩＣチップに接続された通信用コイルとが基材シートに内蔵された非接触ＩＣタグからなる商品管理用タグであって、前記通信用コイルが、前記基材シートの外周縁部に沿って設けられ、前記基材シートの前記通信用コイルが設けられた位置の内側領域に、前記基材シートの一部を押し出して、被添付物の一部を前記基材シートの他の部分との間で挟み込むための挟み込み片を形成する切り込み部が設けられている。【選択図】        図1
2007102655.tif 000002
【特許請求の範囲】
【請求項１】
ＩＣチップ及び前記ＩＣチップに接続された通信用コイルとが基材シートに内蔵された非接触ＩＣタグからなる商品管理用タグであって、
前記通信用コイルが、前記基材シートの外周縁部に沿って設けられ、
前記基材シートの前記通信用コイルが設けられた位置の内側領域に、前記基材シートの一部を押し出して、被添付物の一部を前記基材シートの他の部分との間で挟み込むための挟み込み片を形成する切り込み部が設けられていることを特徴とする商品管理用タグ。
【請求項２】
ＩＣチップ及び前記ＩＣチップに接続された通信用コイルとが内蔵された非接触ＩＣタグが備えられた商品管理用タグであって、
前記非接触ＩＣタグが貼付された基材シートに、前記基材シートの一部を押し出して、被添付物の一部を前記基材シートの他の部分との間で挟み込むための挟み込み片を形成する切り込み部が設けられ、更に前記非接触ＩＣタグが前記挟み込み片の表面に貼付されていることを特徴とする商品管理用タグ。
【請求項３】
前記切り込み部が、Ｕ字形状、Ｖ字形状、Ｗ字形状、円弧形状、のいずれかの形状を有していることを特徴とする請求項１または請求項２に記載の商品管理用タグ。
【発明の詳細な説明】
【技術分野】
【０００１】
本発明は、商品に添付する商品管理用タグに関する。
【背景技術】
【０００２】
従来、種々の商品管理を行うために商品管理用タグを商品に添付することが行われている。
例えば、書店などにおいて、販売する本の販売情報、在庫情報、発注情報などの情報管理を行うために、二つ折り状態の冊子用のタグを本の頁に挟み込んで設けて、店員が販売時にそのタグを本から取り外し、その後、そのタグに設けられた固有情報を入力することで、本の販売情報、在庫情報、発注情報などをコンピュータにより管理できるようにしてある。
【０００３】
また、近年においては情報記憶媒体として非接触ＩＣタグが開発されたことから、非接触ＩＣタグなどのＲＦＩＤチップを設けた商品管理タグも公知となっており（例えば、特許文献１参照）、非接触リーダライタを用いてその非接触ＩＣタグに記憶された固有情報を短時間で効率的に読み取れるようにした技術も知られている。
非接触ＩＣタグに記憶される情報は、非接触リーダライタにより書き換えが可能であることから再利用も可能であり、これにより非接触ＩＣタグを備えた商品管理タグも一度使用後に回収し、新たな情報が書き込むことで、次の商品に添付して使用することもできる。
【特許文献１】特開２００４−２６４１４２号公報
【０００４】
しかしながら、書店で販売される本は、一般的に顧客が自由に立ち読みできることから、顧客が本を店頭で立ち読みした際に、本の頁に挟まれた状態の冊子用のタグが本の頁の間からうっかり外れて落ちてしまうことも考えられるという問題がある。
特に、本に添付された冊子用のタグは、二つ折り状態となっている場合が多く、本の販売時において店員が簡単に取り外しが可能であるという利点があるが、その反面、顧客の立ち読みの際にうっかり落としてなくしてしまいやすいという欠点もあるという問題がある。
【発明の開示】
【発明が解決しようとする課題】
【０００５】
そこで、本発明は、本やノートなどの冊子状の商品に使用する商品管理用タグにおいて、商品に商品管理用タグを簡単に添付することができ、また、商品を販売する際には商品管理用タグを再利用するために商品から簡単に取り外しすることが可能で、更に従来の二つ折りのタグに比べて不用意に落ちにくくした商品管理用タグを提供する。
【課題を解決するための手段】
【０００６】
本発明の商品管理用タグは、ＩＣチップ及び前記ＩＣチップに接続された通信用コイルとが基材シートに内蔵された非接触ＩＣタグからなる商品管理用タグであって、前記通信用コイルが、前記基材シートの外周縁部に沿って設けられ、前記基材シートの前記通信用コイルが設けられた位置の内側領域に、前記基材シートの一部を押し出して、被添付物の一部を前記基材シートの他の部分との間で挟み込むための挟み込み片を形成する切り込み部が設けられていることを特徴とする。
【０００７】
また、本発明の商品管理用タグは、ＩＣチップ及び前記ＩＣチップに接続された通信用コイルとが内蔵された非接触ＩＣタグが備えられた商品管理用タグであって、前記非接触ＩＣタグが貼付された基材シートに、前記基材シートの一部を押し出して、被添付物の一部を前記基材シートの他の部分との間で挟み込むための挟み込み片を形成する切り込み部が設けられ、更に前記非接触ＩＣタグが前記挟み込み片の表面に貼付されていることを特徴とする。
【０００８】
更に、本発明の商品管理用タグは、前記切り込み部が、Ｕ字形状、Ｖ字形状、Ｗ字形状、円弧形状、のいずれかの形状を有していることを特徴とする。
【発明の効果】
【０００９】
本発明の商品管理用タグは、基材シートの一部に設けられた挟み込み片を本やノートなどの冊子状の商品に挟み込むことで、ＩＣチップ及び前記ＩＣチップに接続された通信用コイルとが基材シートに内蔵された商品管理用タグを、商品に簡単に添付することができ、また、商品を販売する際には商品管理用タグを再利用するために商品から簡単に取り外しすることができ、更に、従来の二つ折りのタグに比べて不用意に落ちにくいという効果がある。
【００１０】
また、本発明の商品管理用タグは、基材シートの一部に設けられた挟み込み片を本やノートなどの冊子状の商品に挟み込むことで、基材シートに貼付された非接触ＩＣタグを、商品に簡単に添付することができ、また、商品を販売する際には商品管理用タグを再利用するために商品から簡単に取り外しすることができ、更に、従来の二つ折りのタグに比べて不用意に落ちにくいという効果がある。
【００１１】
更に、本発明の商品管理用タグは、基材シートに形成された切り込み部として、Ｕ字形状、Ｖ字形状、Ｗ字形状、円弧形状、などの形状とすることで、商品管理用タグを添付する商品の形状などに応じて選ぶことができ、商品に簡単に添付することができ、また、商品を販売する際には商品管理用タグを再利用するために商品から簡単に取り外しすることができ、更に、従来の二つ折りのタグに比べて不用意に落ちにくいという効果がある。
【発明を実施するための最良の形態】
【００１２】
以下、本発明の実施形態に係る商品管理用タグについて、図面に基づいて詳細に説明する。
図１は、本発明の第１実施形態に係る商品管理用タグの平面図、図２は、図１のＡ−Ａ線断面図、図３は、本発明の第１実施形態に係る商品管理用タグを本に添付させた状態を示す斜視図、図４は、本発明の第２実施形態に係る商品管理用タグの平面図、図５は、図４のＢ−Ｂ線断面図、図６は、本発明の第３実施形態に係る商品管理用タグの平面図、図７は、本発明の第４実施形態に係る商品管理用タグの平面図、図８は、本発明の第５実施形態に係る商品管理用タグの平面図である。
【００１３】
本発明の第１実施形態に係る商品管理用タグ１は、矩形状を有する合成樹脂製の基材シート２と、この基材シート２に内蔵されてなるＩＣチップ３及び前記ＩＣチップ３に接続された通信用コイル４とを有している。
通信用コイル４は、基材シート２の外周縁部に沿って設けられており、基材シート２の中央付近の領域部分はＩＣチップ３や通信用コイル４が設けられていない領域となっている。
基材シート２に内蔵されているＩＣチップ３及び通信用コイル４により、リーダライタから発信された呼び出し信号を通信用コイル４で受信し、更に通信用コイル４から応答信号を発信することで、ＩＣチップのメモリへの情報の書込みやメモリに記憶された情報の読み取りを行えるように構成されている。
ＩＣチップには、個々の商品管理用タグ１毎に固有情報などが記憶され、商品管理用タグ１が添付された商品の管理をコンピュータにより管理可能になっている。
【００１４】
基材シート２の樹脂基材としては、例えばＰＥＴやポリプロピレン、ポリエチレン、ポリスチレン、ナイロン等の各種材料を使用することができ、紙であってもよい。
基材シート２の寸法は、商品管理用タグ１を添付する商品の大きさに応じて定めればよく、縦方向を長めに形成させたり、横方向を長めに形成させたりするなど様々な形状にすることができる。
【００１５】
また、基材シート２の通信用コイルが設けられた位置の内側領域には、基材シート２の一部を指で押し出して、基材シート２の他の部分との間に商品の一部を挟み込むための挟み込み片５を形成する切り込み部６が設けられている。
この挟み込み片５は、その一部で基材シート２の他の部分と接続状態に形成されており、切り込み部６の切り込み形状に応じて様々な形状に構成することができる。
図１に示す本発明の第１実施形態において、この切り込み部６はＵ字形状に形成されている。
更に、Ｕ字形状に形成された切り込み部６の両端部には、小さな孔７が設けられている。
【００１６】
商品管理用タグ１は、基材シート２の挟み込み片５の部分を指で押すことで、Ｕ字形状に形成された切り込み部６の中央側に設けられる挟み込み片５の先端部分から、基材シート２のその他の部分に対して外側に押し出され、基材シート２の押し出された挟み込み片５と、その他の部分との間に隙間をあけることで、その隙間に商品の一部を挟み込んで、商品に商品管理用タグ１を添付できるように構成されている。
基材シート２にＵ字形状に形成された切り込み部６は、縦方向の切り込みの寸法を長くすることによって、基材シート２の挟み込み片５の先端部分を基材シート２のその他の部分から、より大きく外側に押し出すことが可能となるので、商品管理用タグ１を添付する商品に応じた切り込みの寸法を形成することができる。
【００１７】
また、Ｕ字形状に形成された切り込み部６の両端部に設けられた小さな孔７は、挟み込み片５を押し出して商品に商品管理用タグ１を添付する際に、その押し出しによって加わる応力により基材シート２のＵ字形状に形成された切り込み部６の両端部が不要に破損してしまうことを防止する役目を果たしている。
この孔７は、必ずしも必要ではないが、商品管理用タグ１を再利用して繰り返し商品に添付することを考慮すると、商品管理用タグ１の耐久性を維持するためにも設けることが好ましい。
【００１８】
図３には、商品管理用タグ１を商品である本８に添付させた状態が示されている。
図３に示す例では、商品管理用タグ１の基材シート２の挟み込み片５と、基材シート２のその他の部分との隙間に、本８の表紙を挟み込むことで添付させており、挟み込み片５が本８の表紙の外側に位置する状態となるように添付させている。
尚、商品管理用タグ１を本８の頁の部分を挟み込んで添付させてもよい。
また、本８の表紙に商品管理用タグ１を添付させる場合には、基材シート２の挟み込み片５の部分を本８の内側に位置する状態とし、基材シート２の挟み込み片５の他の部分を本８の外側に位置する状態で添付するようにしてもよい。
【００１９】
図３に示すように、本８に添付された商品管理用タグ１は、その本８が販売される際にレジの係員が、商品管理用タグ１の上端部分を摘み上げることで本８から引き抜くことができ、引き抜いた商品管理用タグ１は、一旦保管して繰り返し再利用することができる。
【００２０】
次に、図４及び図５に基づいて、本発明の第２実施形態に係る商品管理用タグ１０について説明する。
本発明の第２実施形態に係る商品管理用タグ１０は、矩形状を有する合成樹脂製の基材シート１１と、この基材シート１１に貼付されている非接触ＩＣタグ１２からなる。
非接触ＩＣタグ１２には、ＩＣチップ１３と、このＩＣチップ１３に接続された通信用コイル１４とが内蔵され、非接触ＩＣタグ１２の裏面に設けられている接着剤により基材シート１１上に貼付されている。
【００２１】
また、基材シート２には、基材シート１１の一部を指で押し出して、基材シート１１の他の部分との間に商品の一部を挟み込むための挟み込み片１５を形成する切り込み部１６が設けられている。
この挟み込み片１５は、その一部で基材シート１１の他の部分と接続状態に形成されており、切り込み部１６の切り込み形状に応じて様々な形状に構成することができる。
更に、Ｕ字形状に形成された切り込み部１６の両端部には、小さな孔１７が設けられている。
また、非接触ＩＣタグ１２は、基材シート１１の挟み込み片１５の表面に貼付されている。
【００２２】
本発明の第２実施形態に係る商品管理用タグ１０は、挟み込み片１５の表面に非接触ＩＣタグ１２が貼付されているので、図３に示すように、基材シート１１の挟み込み片１５を本８の表紙の外側に位置する状態で添付することで、リーダライタから発信された呼び出し信号を確実に受信することができる。
また、基材シート１１の挟み込み片１５に非接触ＩＣタグ１２を貼付する代わりに、挟み込み片１５の内部に、ＩＣチップ及び前記ＩＣチップに接続された通信用コイルとを内蔵させてもよい。
【００２３】
次に、本発明の第３実施形態に係る商品管理用タグ２０を、図６に基づいて説明する。
本発明の第３実施形態に係る商品管理用タグ２０は、図１に示す本発明の第１実施形態に係る商品管理用タグ１と同様に、矩形状を有する合成樹脂製の基材シート２と、この基材シート２に内蔵されてなるＩＣチップ３及び前記ＩＣチップ３に接続された通信用コイル４とを有し、通信用コイル４が、基材シート２の外周縁部に沿って設けられており、基材シート２の中央付近の領域部分はＩＣチップ３や通信用コイル４が設けられていない領域となっているが、基材シート２に形成されている切り込み部６ａがＶ字形状に設けられている。
【００２４】
Ｖ字形状に形成された切り込み部６ａの内側が、挟み込み片５ａとなる。
基材シート２に切り込み部６ａがＶ字形状に形成されていることで、挟み込み片５ａが逆三角形をしており、これにより商品管理用タグ２０を商品に添付させる際に、挟み込み片５ａの先端部分を商品に対して差し込みやすくなっている。
【００２５】
次に、本発明の第４実施形態に係る商品管理用タグ３０を、図７に基づいて説明する。
本発明の第４実施形態に係る商品管理用タグ３０は、基材シート２に形成されている切り込み部６ｂがＷ字形状に設けられているものである。
Ｗ字形状に形成された切り込み部６ｂの内側が、挟み込み片５ｂとなる。
【００２６】
次に、本発明の第５実施形態に係る商品管理用タグ４０を、図８に基づいて説明する。
本発明の第５実施形態に係る商品管理用タグ４０は、基材シート２に形成されている切り込み部６ｃが円弧形状に設けられているものである。
円弧形状に形成された切り込み部６ｃの内側が、挟み込み片５ｃとなる。
【００２７】
本発明の商品管理用タグは、基材シート２に形成する切り込み部の形状をかえることで、商品管理用タグを添付させる商品の形状などに応じて適応できるようにしてある。
【図面の簡単な説明】
【００２８】
【図１】本発明の第１実施形態に係る商品管理用タグの平面図である。
【図２】図１のＡ−Ａ線断面図である。
【図３】本発明の第１実施形態に係る商品管理用タグを本に添付させた状態を示す斜視図である。
【図４】本発明の第２実施形態に係る商品管理用タグの平面図である。
【図５】図４のＢ−Ｂ線断面図である。
【図６】本発明の第３実施形態に係る商品管理用タグの平面図である。
【図７】本発明の第４実施形態に係る商品管理用タグの平面図である。
【図８】本発明の第５実施形態に係る商品管理用タグの平面図である。
【符号の説明】
【００２９】
１，１０，２０，３０，４０  商品管理用タグ
２，１１  基材シート
３，１３  ＩＣチップ
４，１４  通信用コイル
５，５ａ，５ｂ，５ｃ，１５  挟み込み片
６，６ａ，６ｂ，６ｃ，１６  切り込み部
７  孔
８  本
１２  非接触ＩＣタグ
【図１】
2007102655.tif 000003
【図２】
2007102655.tif 000004
【図３】
2007102655.tif 000005
【図４】
2007102655.tif 000006
【図５】
2007102655.tif 000007
【図６】
2007102655.tif 000008
【図７】
2007102655.tif 000009
【図８】
2007102655.tif 000010